(57)【要約】【課題】畳める構造でありながら、低コストで、高耐久性を有し、壊れにくい、ヘッドホンを提供する。【解決手段】一の弧をｎ（ｎは２以上の整数）個に分割した弧状を呈する複数のバンドユニット(6a〜6d)と、複数のバンドユニット(6a〜6d)の内、両端を除くバンドユニット(6b,6c)に挿通されると共に、両端のバンドユニット(6a,6d)に両端部をそれぞれ係止された弾性伸張可能な連結紐(5)と、を有するヘッドバンド(51)と、両端のバンドユニット(6a,6d)の少なくとも一方に取り付けられ、音を出力する本体部(1)と、を備えている。【選択図】図１
2018207392.tif 000002
【特許請求の範囲】
【請求項１】
一の弧をｎ（ｎは２以上の整数）個に分割した弧状を呈する複数のバンドユニットと、
前記複数のバンドユニットの内、両端を除く前記バンドユニットに挿通されると共に、前記両端のバンドユニットに両端部をそれぞれ係止された弾性伸張可能な連結紐と、
を備えたヘッドホン用のヘッドバンド。
【請求項２】
少なくとも一組の隣接する前記バンドユニットにおける一方の内面の曲率半径と、他方の外面の曲率半径とが概ね等しいことを特徴とする請求項１記載のヘッドホン用のヘッドバンド。
【請求項３】
一の弧をｎ（ｎは２以上の整数）個に分割した弧状を呈する複数のバンドユニットと、前記複数のバンドユニットの内、両端を除く前記バンドユニットに挿通されると共に、前記両端のバンドユニットに両端部をそれぞれ係止された弾性伸張可能な連結紐と、を有するヘッドバンドと、
前記両端のバンドユニットの少なくとも一方に取り付けられ、音を出力する本体部と、
を備えているヘッドホン。
【請求項４】
前記ヘッドバンドは、
少なくとも一組の隣接する前記バンドユニットにおける一方の内面の曲率半径と、他方の外面の曲率半径とが概ね等しいことを特徴とする請求項３記載のヘッドホン。
【発明の詳細な説明】
【技術分野】
【０００１】
本発明は、ヘッドホン用のヘッドバンド及びヘッドホンに係り、特に、畳むことができるヘッドホン用のヘッドバンドと、それを備えたいわゆるオーバーヘッドタイプのヘッドホンと、に関する。
【背景技術】
【０００２】
ヘッドバンドを有するいわゆるオーバーヘッドタイプのヘッドホンにおいて、ヘッドバンドを折り畳み可能として収納性を高めたものが知られており、一例が特許文献１に記載されている。
【先行技術文献】
【特許文献】
【０００３】
【特許文献１】特開２０１０−１６６２５８号公報
【発明の概要】
【発明が解決しようとする課題】
【０００４】
特許文献１にも記載されているように、折り畳み可能なヘッドバンドを有するヘッドホンは、ヘッドバンドを複数の部分に分割して互いを相対回動可能にするヒンジで連結することで折り畳み可能な構造を有する。
そのため、このヘッドバンドは、構造が複雑で部品点数が多くコスト高になる一方、複雑な形状となるヒンジは樹脂で形成するのが好ましいため、ヒンジ部分の強度を高くしにくくなっており、高耐久性や壊れにくさの観点で改善が望まれていた。
【０００５】
そこで、本発明が解決しようとする課題は、畳める構造でありながら、低コストで、高耐久性を有し、壊れにくいヘッドホン用のヘッドバンド及びヘッドホンを提供することにある。
【課題を解決するための手段】
【０００６】
上記の課題を解決するために、本発明は次の構成を有する。
１）  一の弧をｎ（ｎは２以上の整数）個に分割した弧状を呈する複数のバンドユニットと、
前記複数のバンドユニットの内、両端を除く前記バンドユニットに挿通されると共に、前記両端のバンドユニットに両端部をそれぞれ係止された弾性伸張可能な連結紐と、
を備えたヘッドホン用のヘッドバンドである。
２）  一の弧をｎ（ｎは２以上の整数）個に分割した弧状を呈する複数のバンドユニットと、前記複数のバンドユニットの内、両端を除く前記バンドユニットに挿通されると共に、前記両端のバンドユニットに両端部をそれぞれ係止された弾性伸張可能な連結紐と、を有するヘッドバンドと、
前記両端のバンドユニットの少なくとも一方に取り付けられ、音を出力する本体部と、
を備えているヘッドホンである。
【発明の効果】
【０００７】
本発明によれば、畳める構造でありながら、低コストで、高耐久性を有し、壊れにくい、という効果が得られる。
【図面の簡単な説明】
【０００８】
【図１】図１は、本発明の実施の形態に係るヘッドホン用のヘッドバンド及びヘッドホンの実施例１であるヘッドバンド５１及びそれを備えたヘッドホン５２の使用態様を説明するための正面図である。
【図２】図２は、ヘッドバンド５１におけるバンドユニット６ｃを説明するための斜視図である。
【図３】図３は、図２におけるＳ３−Ｓ３位置での断面図である。
【図４】図４は、ヘッドホン５２の収納態様を説明するための正面図である。
【図５】図５は、本発明の実施の形態に係るヘッドホン用のヘッドバンド及びヘッドホンの実施例２であるヘッドバンド５１Ａ及びそれを備えたヘッドホン５２Ａの使用態様を説明するための正面図である。
【図６】図６は、ヘッドホン５２Ａの収納態様を説明するための正面図である。
【図７】図７は、バンドユニットの係合状態の変形例を説明するための部分縦断面図である。
【図８】図８は、変形例のヘッドホン５２Ｂを説明するための正面図である。
【発明を実施するための形態】
【０００９】
本発明の実施の形態に係るヘッドホン用のヘッドバンド５１及びそれを備えたヘッドホン５２を、実施例１のヘッドバンド５１及びヘッドホン５２、並びに、実施例２のヘッドバンド５１Ａ及びヘッドホン５２Ａなどにより説明する。
【００１０】
（実施例１）
実施例１のヘッドバンド５１とそれを備えたヘッドホン５２を、図１〜図４を参照して説明する。
【００１１】
ヘッドホン５２は、左右の耳に対応した一対の音放出部である本体部１及び本体部２と、本体部１及び本体部２それぞれの姿勢を、揺動（矢印ＤＲ１）及び回動（矢印ＤＲ２）可能とするハンガ部３及びハンガ部４と、ハンガ部３とハンガ部４とを連結し、ヘッドホン５２の使用時に使用者の頭部に載せられるヘッドバンド５１と、を有する。
【００１２】
本体部１及び本体部２は、外部の通信機器からのＬ及びＲチャネルの無線音声信号をそれぞれ受信する通信部１ａ，２ａと、通信部１ａ，２ａで受信した音声信号をそれぞれ音として出力するスピーカユニットＳＰ１，ＳＰ２と、を有する。
【００１３】
ヘッドバンド５１は、一つの弧をｎ（ｎは２以上の整数）個（この例において４つ）に分割した弧状のバンドユニット６ａ〜６ｄを弾性伸張可能な連結紐５で一列に並べて配置可能に構成されている。
詳しくは、ヘッドバンド５１は、弧状の中空管であるバンドユニット６ａ〜６ｄと、バンドユニット６ａの内部で一端側が固定され、バンドユニット６ｂ，６ｃの内部を通り、バンドユニット６ｄの内部で他端側が固定された連結紐５と、を有する。
ハンガ部３，４は、バンドユニット６ａ，６ｄにおけるバンドユニット６ｂ，６ｃとは反対側の端部にそれぞれ取り付けられている。
【００１４】
バンドユニット６ａ〜６ｄの構成を、バンドユニット６ｃを代表として図２及び図３を参照して説明する。
図２はバンドユニット６ｃの斜視図であり、図３は図２におけるＳ３−Ｓ３位置での断面図である。
【００１５】
バンドユニット６ｃは、例えばアルミニウムなどの金属の角管であって、全体として、頭部の左右方向の外形に沿う弧状に形成された基部６ｃ１と、基部６ｃ１の両端部をそれぞれ塞ぐ樹脂性のキャップ６ｃ２，６ｃ３と、を有する。
基部６ｃ１の一つの側面６ｃ１ｂには、連結紐５を内部に通すための、スリット６ｃ１ａが形成されている。また、キャップ６ｃ２，６ｃ３は、中央部に形成された貫通孔６ｃ４と、基部６ｃ１のスリット６ｃ１ａに接続するスリット６ｃ５と、を有する。
【００１６】
基部６ｃ１のスリット６ｃ１ａは直状であってもよいが、内部に通した連結紐５が容易に外に抜けないように、図２に示される蛇行形状のような、非直状であるとよい。
【００１７】
基部６ｃ１の使用時に頭部側となる底壁６ｃ１ｃの内面６ｃ１ｄには、中央部が薄肉になるよう凹んだ凹部６ｃ１ｅが形成されている。基部６ｃ１の内部に通された連結紐５は、引っ張られたときにこの凹部６ｃ１ｅに入り込むので位置が安定して決められる。すなわち、バンドユニット６ｂとバンドユニット６ｃとの連なった状態が安定する。
【００１８】
また、図２に示されるように、側面６ｃ１ｂには、連結紐５が通された後、その抜け防止及び外観意匠のために、スリット６ｃ１ａを覆って隠すシール７が貼付されているとよい。
また、バンドユニット６ｂ，６ｃの頭部側の面には、装着時の装着感を向上させるクッション部材８ｂ，８ｃを取り付けてあってもよい。
【００１９】
バンドユニット６ａ，６の内部において、連結紐５は、その端部がタイコなどによって引っ掛けられて抜け止め、或いは固定されている。
連結紐５は、ゴム紐などの弾性伸張可能な紐部材であり、図１に示されたバンドユニット６ａ〜６ｄを弧状に連結した状態でも、弾性的にある程度伸びた状態にあり、バンドユニット６ａとバンドユニット６ｄとを接近させるように引っ張っている。
これにより、バンドユニット６ａ〜６ｄは、弧状に連なるように互いに端部で付勢当接し、全体として、図１に示されるような、頭部の外形に沿う弧状の使用態様で維持される。
【００２０】
上述のヘッドホン５２のヘッドバンド５１は、図１に示される使用態様から、連結紐５がさらに弾性伸張可能であることから、連結紐５を引き伸ばしながらバンドユニット６ｂ及びバンドユニット６ｃの姿勢を変換することができる。
具体的には、図４に示されるように、バンドユニット６ｂとバンドユニット６ｃとを隣接並行させるようにＭ字状に畳んだ収納態様としてコンパクト化することができる。この収納態様で鞄などに収容する際には、連結紐５の反発力でひろがらないように、面ファスナー付きのバンドなどでバンドユニット６ａ〜６ｄの部分を縛るなどするとよい。
【００２１】
（実施例２）
次に、実施例２のヘッドバンド５１Ａとそれを備えたヘッドホン５２Ａを、図５及び図６を参照して説明する。
ヘッドホン５２Ａは、実施例１のヘッドホン５２に対して、ヘッドバンド５２が異なるものである。
ヘッドバンド５２Ａは、例えば６つに分割されたバンドユニット１６ａ〜１６ｆを、伸縮可能な連結紐１５で一列に連ねて配置可能なように構成されている。
各バンドユニット１６ａ〜１６ｆは、実施例１のバンドユニット６ａ〜６ｄと構造が同様で、長さが異なるものである。
【００２２】
ヘッドバンド５２Ａは、ヘッドバンド５２と同様に、連結紐１５をさらに引き伸ばして、バンドユニット１６ｂ〜１６ｅの姿勢を転換することができる。
【００２３】
ヘッドバンド５２Ａは、図５における中央から左側において、バンドユニット１６ａの内面１６ａ２の曲率半径Ｒａ２と、バンドユニット１６ｂの外面１６ｂ１の曲率半径Ｒｂ１と、が概ね等しく設定されている。
また、バンドユニット１６ｂの内面１６ｂ２の曲率半径Ｒｂ２と、バンドユニット１６ｃの外面１６ｃ１の曲率半径Ｒｃ１と、が概ね等しく設定されている。
また、中央から右側において、バンドユニット１６ｆの内面１６ｆ２の内面の曲率半径Ｒｆ２と、バンドユニット１６ｅの外面１６ｅ１の曲率半径Ｒｅ１と、が概ね等しく設定されている。
また、バンドユニット１６ｅの内面１６ｅ２の曲率半径Ｒｅ２と、バンドユニット１６ｄの外面１６ｄ１の曲率半径Ｒｄ１と、が概ね等しく設定されている。
【００２４】
これにより、バンドユニット１６ｂ，１６ｃの姿勢を転換した際に、図６に示されるように重ねることができる。
すなわち、バンドユニット１６ａの内面１６ａ２にバンドユニット１６ｂの外面１６ｂ１を対向させ、バンドユニット１６ｂの内面１６ｂ２にバンドユニット１６ｃの外面１６ｃ１を対向させると、対向する面同士の曲率半径が概ね等しいため、隙間なく重ねることができる。
同様に、バンドユニット１６ｄ，１６ｅの姿勢を転換した際に、バンドユニット１６ｆの内面１６ｆ２にバンドユニット１６ｅの外面１６ｅ１を対向させ、バンドユニット１６ｅの内面１６ｅ２にバンドユニット１６ｄの外面１６ｄ１を対向させると、対向する面同士の曲率半径が概ね等しいため、隙間なく重ねることができる。
【００２５】
そのため、ヘッドバンド５１Ａ及びそれを備えたヘッドホン５２Ａは、収納態様をよりコンパクトにできる。
【００２６】
上述のように、複数のバンドユニット１６ａ〜１６ｆを有するヘッドバンド５１Ａの構成は、中央から左右一方側において、任意のバンドユニットの内面の曲率半径を、そのバンドユニットに対し中央側に隣接するバンドユニットの外面の曲率半径と概ね等しくするものある。
さらに換言するならば、ヘッドバンド５１Ａは、少なくとも一組の隣接するバンドユニットにおける一方の内面の曲率半径と、他方の外面の曲率半径と、が概ね等しくなっているとよい。
この構成は、ヘッドバンドを偶数に分割したバンドユニットを有するバンドユニットに適用できる。従って、実施例１で説明した４分割のバンドユニット６ａ〜６ｄを有するヘッドバンド５１にも適用可能である。
【００２７】
以上詳述した実施例１（２）のヘッドバンド５１（５１Ａ）は、弾性伸張可能な連結紐５（１５）を伸ばした状態での圧縮付勢力により、図１（図５）に示される、複数のバンドユニット６ａ〜６ｄ（１６ａ〜１６ｆ）を一列に並べて繋げた使用姿勢と、図４（図６）に示される、連結紐５（１５）を伸ばした状態でバンドユニット６ａ〜６ｄ（１６ａ〜１６ｆ）を複数列に並設して畳んだ収納姿勢と、をとり得るようになっている。
【００２８】
これにより、ヘッドバンド５１（５１Ａ）及びそれを備えたヘッドホン５２（５２Ａ）は、ヒンジ構造を有することなくヘッドバンド５１（５１Ａ）を畳めるので、低コストで、高耐久性を有し、壊れにくい。
【００２９】
以上詳述した実施例は、上述の構成に限定されるものではなく、本発明の要旨を逸脱しない範囲において変形した変形例としてもよい。
【００３０】
複数のバンドユニットを一列に付勢当接させる使用態様において、隣接するバンドユニットのキャップが平面同士で当接するのではなく、図７に示されるように凹凸係合するようにするとよい。
図７は、例として、バンドユニット６ｃの一端側のキャップ２６ａと、隣接するバンドユニット６ｂのバンドユニット６ｃ側のキャップ２６ｂと、の係合状態を説明するための、図１のＡ部における部分縦断面図に相当する。
【００３１】
キャップ２６ａは、中央部分に、軸線方向に突出した凸部２６ａ１を有し、キャップ２６ｂは、中央部分に軸線方向に凹んで凸部２６ａ１を受け入れる凹部２６ｂ１を有する。
この凹凸構造によれば、使用態様時に隣接するバンドユニット同士のずれが生じにくく、かつ使用者の頭部形状によりフィットする弧状のヘッドバンドが得られるので、使用者の装着感が向上する。
【００３２】
また、ヘッドホン５２（５２Ａ）は、通信部が一つの場合、或いは、一方の本体部のみから引き出されたいわゆる片出しの有線（ケーブル）で音声信号を受ける場合、スピーカユニットＳＰ１とスピーカユニットＳＰ２をヘッドバンド５１（５１Ａ）を通して電気接続する必要がある。
その場合、図８に示されるヘッドバンド５１Ｂ及びヘッドホン５２Ｂのように、ゴム紐などの連結紐５（１５）の替わりに、ロボットなどに多用される伸縮電線からなる連結紐１５１を用いてもよい。
【００３３】
図８に示されたヘッドホン５２Ｂでは、本体部２から外部に引き出され音楽再生装置などに接続するステレオ用のケーブル１５２を備えている。
そして、ケーブル１５２の一方のチャネルのコードが、スピーカユニットＳＰ２に電気接続されている。
また、他方のチャネルのコードであるコード１５１ａが連結紐１５１の一端側に電気接続されている。そして、連結紐１５１の他端側にはコード１５１ｂが接続されており、コード１５１ｂはスピーカユニットＳＰ１に電気接続されている。
【００３４】
これにより、一方のチャネルの音声信号は、スピーカユニットＳＰ２に供給され、他方のチャネルの音声信号は、連結紐１５１を介してスピーカユニットＳＰ１に供給される。
連結紐１５１は、伸張性を有しつつ導電性を有して音声信号を両端間で伝達可能であり、有線タイプのヘッドホン５２Ｂも、ヘッドホン５２，５２Ａと同様なヘッドバンドの折り畳み構造が適用される。
【００３５】
上述のように、複数のバンドユニットの数を偶数とした場合、上述のように収納態様において本体部が同じ側に位置する。
複数のバンドユニットの数は、偶数に限らず奇数としてもよい。奇数とした場合、収納態様において本体部が異なる側（逆側）に位置する。
【符号の説明】
【００３６】
１，２  本体部、    １ａ，２ａ  通信部
３，４  ハンガ部
５，１５，１５１  連結紐
６ａ〜６ｄ  バンドユニット
６ｃ１  基部、    ６ｃ１ａ  スリット、    ６ｃ１ｂ  側面
６ｃ１ｃ  底壁、    ６ｃ１ｄ  内面、    ６ｃ１ｅ  凹部
６ｃ２，６ｃ３  キャップ、    ６ｃ４  貫通孔、    ６ｃ５  スリット
７  シール
８ｂ，８ｃ  クッション部材
１６ａ〜１６ｆ  バンドユニット
１６ａ２，１６ｂ２，１６ｆ２，１６ｅ２  内面
１６ｂ１，１６ｃ１，１６ｅ１外面，１６ｄ１  外面
２６ａ，２６ｂ  キャップ、    ２６ａ１  凸部、    ２６ｂ１  凹部
５１，５１Ａ，５１Ｂ  ヘッドバンド
５２，５２Ａ，５２Ｂ  ヘッドホン
１５１ａ，１５１ｂ  コード、    １５２  接続ケーブル
Ｒａ２，Ｒｂ１，Ｒｂ２，Ｒｃ１，Ｒｆ２，Ｒｃ１，Ｒｆ２，Ｒｅ１  曲率半径
ＳＰ１，ＳＰ２  スピーカユニット
【図１】
2018207392.tif 000003
【図２】
2018207392.tif 000004
【図３】
2018207392.tif 000005
【図４】
2018207392.tif 000006
【図５】
2018207392.tif 000007
【図６】
2018207392.tif 000008
【図７】
2018207392.tif 000009
【図８】
2018207392.tif 000010